(57)【要約】【課題】デジタル伝送装置のＰＡユニットの出力信号を検波するユニットが破損した場合でも、規定出力以上の信号や歪んだ信号の発報で隣接のチャンネルに妨害を与えることのないデジタル伝送装置の実現。【解決手段】ＩＦ信号をＳＨＦ信号に周波数変換し、電力増幅して出力するデジタル伝送装置において、電力増幅ユニットの送信ＳＨＦ信号出力を検波したＤＣ電圧値の低下が、電源立ち上げ時やチャネル変更時であるのか、検波ユニットの破損によるものかを判別し、前者の場合は、ＡＧＣ回路が安定するまでの間、予め設定された所定の電圧値でＩＦユニットを制御し、後者の場合は、電力増幅ユニットの出力を低下させる制御構成としたデジタル伝送装置。【選択図】  図１
2008099077.tif 000002
【特許請求の範囲】
【請求項１】
ＩＦ信号をＳＨＦ信号に周波数変換し、電力増幅して出力するデジタル伝送装置において、電力増幅ユニットの送信ＳＨＦ信号出力を検波したＤＣ電圧値の低下が、電源立ち上げ時やチャネル変更時であるのか、検波ユニットの破損によるものかを判別し、前者の場合は、ＡＧＣ回路が安定するまでの間、予め設定された所定の電圧値でＩＦユニットを制御し、後者の場合は、上記電力増幅ユニットの出力を低下させる制御構成としたこと特徴とするデジタル伝送装置。
【発明の詳細な説明】
【技術分野】
【０００１】
本発明は、デジタルの伝送装置に関するものである。
【背景技術】
【０００２】
従来のデジタルの伝送装置では、図２に示すように送信機の電力増幅(ＰＡ)ユニット３の出力信号を分配し、それを検波して送信出力が一定になるように、ＩＦユニット１のレベルを制御している。
図２の従来方式において、デジタル伝送装置に入力されるＩＦ信号は、ＩＦユニット１を介し、周波数変換(ＣＯＮＶ)ユニット２においてローカル発振器６の所望の発振周波数によりＳＨＦ信号に周波数変換され、電力増幅(ＰＡ)ユニット３において増幅され、送信ＳＨＦ信号として出力される。
送信ＳＨＦ信号出力は、カプラ４で分配され、検波器５でＳＨＦ信号からＤＣ電圧に変換され、その電圧値がコンパレータ１０において可変抵抗(ＡＧＣ)１２で設定された電圧値になるよう、ＩＦユニット１にフィードバックされることにより、ＩＦユニット１の減衰器(PIN ATT)を制御する。
ここで、電源立ち上げ時やチャネル(ＣＨ)変更時は、検波器５からのＤＣ電圧が０Ｖとなり、コンパレータ１０では、ＩＦユニット１の減衰器(PIN ATT)の値が最小になるように制御することになる。しかし、この状態では、ＰＡユニット３では、内部で使用しているトランジスタ(ＴＲ)の最大定格となり、規定出力以上の信号や歪んだ信号を送信することになり、他局のＣＨに妨害を与えることになる。
これを予防するために、可変抵抗(ＭＧＣ)１１を送信出力が正規の出力以下になるように設定し、電源立ち上げ時やＣＨ変更時は、遅延回路８でＡＧＣ回路が安定するまでの間、ＭＧＣ１１に設定された値がＩＦユニット１にフィードバックされ、その後、ＡＧＣ１２に設定された電圧値に切換器(ＳＷ)９で切り換えるようにしている。
しかし、検波器５が破損した場合もＤＣ電圧が０Ｖとなり、規定出力以上の信号や歪んだ信号を送信することになる。
【特許文献１】特開平５−２６８１１７号公報
【発明の開示】
【発明が解決しようとする課題】
【０００３】
前述の従来技術では、ＰＡユニットの出力信号を検波するユニットが破損した場合、ＩＦユニットのレベルが最大になるように制御されてしまい、規定出力以上の信号や歪んだ信号の発報で隣接のチャンネルに妨害を与えることになる。
本発明はこれらの欠点を除去し、デジタル伝送装置のＰＡユニットの出力信号を検波するユニットが破損した場合でも、規定出力以上の信号や歪んだ信号の発報で隣接のチャンネルに妨害を与えることのないデジタル伝送装置の実現を目的とする。
【課題を解決するための手段】
【０００４】
本発明は上記の目的を達成するため、ＩＦ信号をＳＨＦ信号に周波数変換し、電力増幅して出力するデジタル伝送装置において、電力増幅(ＰＡ)ユニットの送信ＳＨＦ信号出力を検波したＤＣ電圧値の低下が、電源立ち上げ時やチャネル変更時であるのか、検波ユニットの破損によるものかを判別し、前者の場合は、ＡＧＣ回路が安定するまでの間、予め設定された所定の電圧値でＩＦユニットを制御し、後者の場合は、上記電力増幅ユニットの出力を低下させる制御構成としたものである。
【発明の効果】
【０００５】
本発明は、デジタルの伝送装置において、送信機のＰＡユニットの出力信号を検波したＤＣ電圧値が０Ｖとなったのが、電源立ち上げ時やＣＨ変更時であるのか、検波ユニットの破損によるものかを判別し、前者の場合は、ＡＧＣ回路が安定するまでの間、予め設定された所定の電圧値がＩＦユニットにフィードバックされ、後者の場合は、直ちにＰＡユニットの出力を低下させる構成であるため、電源立ち上げ時やＣＨ変更時であっても、検波ユニットが破損した場合であっても、規定出力以上の信号や歪んだ信号の発報で隣接のチャンネルに妨害を与えることのないデジタル伝送装置が実現できる。
【発明を実施するための最良の形態】
【０００６】
本発明によるデジタル伝送装置に関する一実施形態を、図１を用いて詳細に説明する。図１は、本発明のデジタル伝送装置の一実施形態を示すブロック図である。
図１において、デジタル伝送装置に入力されるＩＦ信号は、ＩＦユニット１を介し、周波数変換(ＣＯＮＶ)ユニット２においてローカル発振器６の所望の発振周波数によりＳＨＦ信号に周波数変換され、電力増幅(ＰＡ)ユニット３において増幅され、送信ＳＨＦ信号として出力される。送信ＳＨＦ信号出力は、カプラ４で分配され、検波器５でＳＨＦ信号からＤＣ電圧に変換され、その電圧値がコンパレータ１０において可変抵抗(ＡＧＣ)１２で設定された電圧値になるよう、ＩＦユニット１にフィードバックされることにより、ＩＦユニット１の減衰器(PIN ATT)を制御する。
ここで、電源立ち上げ時やチャネル(ＣＨ)変更時は、検波器５からのＤＣ電圧が０Ｖとなり、コンパレータ１０では、ＩＦユニット１の減衰器(PIN ATT)の値が最小になるように制御することになる。しかし、この状態では、ＰＡユニット３では、内部で使用しているトランジスタ(ＴＲ)の最大定格となり、規定出力以上の信号や歪んだ信号を送信することになり、他局のＣＨに妨害を与えることになる。
【０００７】
これを防ぐために、図１の本発明の構成では、ＣＰＵ７において、ローカル発振器６からの電源立ち上げ時あるいはＣＨ変更時であることを示す信号(ＳＹＮ  ＯＫ)、およびコンパレータ１０の出力電圧値を取り込み、検波器５からのＤＣ電圧が０Ｖとなったのが、電源立ち上げ時やＣＨ変更時であるか、検波器５の破損によるものかを判別する。
そして、ＣＰＵ７内部に持っているタイマ１３(例えば、カウンタ)によって、電源立ち上げ時やＣＨ変更時であった場合は、ＡＧＣ回路１２が安定するまでの間、予め設定された所定の電圧値、すなわち可変抵抗(ＭＧＣ)１１に設定された電圧値がＩＦユニット１にフィードバックされ、検波器５の破損によるものであった場合は、直ちに、ＰＡユニット３の制御信号であるＰＷ  ＯＮで、ＰＡユニット３の出力を低下させる。
これにより、電源立ち上げ時やＣＨ変更時であっても、検波ユニットが破損した場合であっても、規定出力以上の信号や歪んだ信号が発報することがなく、更には、図２の従来技術の遅延回路が不要となる。
【図面の簡単な説明】
【０００８】
【図１】本発明によるデジタル伝送装置の構成を示すブロック図
【図２】従来技術によるデジタル伝送装置の構成を示すブロック図
【符号の説明】
【０００９】
１：ＩＦユニット、２：ＣＯＮＶユニット、３：ＰＡユニット、４：カプラ、５：検波器、６：ローカル発振器、７：ＣＰＵ、９：ＳＷ、１０：コンパレータ、１１：ＭＧＣ、１２：ＡＧＣ、１３：タイマ
【図１】
2008099077.tif 000003
【図２】
2008099077.tif 000004